(57)【要約】【解決手段】本出願の実施形態は、口座セキュリティ保護方法と、口座セキュリティ保護システムと、口座セキュリティ保護のためのコンピュータプログラム製品とに関する。口座セキュリティ保護方法が提供される。方法は、ユーザの現在地と、ユーザの口座が操作されている位置とを検索することと、ユーザの現在地と、ユーザの口座が操作されている位置との間の距離があらかじめ定められた距離閾値を超えるかどうかを決定することと、ユーザの現在地と、ユーザの口座が操作されている位置との間の距離が前記あらかじめ定められた距離閾値を超える場合に、ユーザに通知を行うことと、を含む。【選択図】図５
2015520442.tif 000002
【特許請求の範囲】
【請求項１】
口座セキュリティ保護方法であって、
ユーザの現在地と、前記ユーザの口座が操作されている位置とを検索することと、
プロセッサを使用し、前記ユーザの現在地と、前記ユーザの口座が操作されている位置と、の間の距離が、あらかじめ定められた距離閾値を超えるかどうかを決定することと、
前記ユーザの現在地と、前記ユーザの口座が操作されている位置との間の前記距離が前記あらかじめ定められた距離閾値を超える場合に、前記プロセッサを使用し、前記ユーザに通知を行うことと、
を備える方法。
【請求項２】
請求項１に記載の方法であって、さらに、
前記ユーザの口座に携帯機器を関係付けることを備え、前記ユーザの現在地を検索することは、前記ユーザの口座に関係付けられた前記携帯機器の位置を特定することを含む、方法。
【請求項３】
請求項１に記載の方法であって、
前記ユーザの口座が操作されている位置は、オフライン位置を含み、
前記ユーザの口座が操作されている位置は、操作されている携帯機器のマシンコードの位置に基づいて、位置情報サービス（ＬＢＳ）を使用して、検索される、方法。
【請求項４】
請求項１に記載の方法であって、
前記ユーザの口座が操作されている位置は、オンライン位置を含み、
前記ユーザの口座が操作されている位置は、操作されている携帯機器のインターネットプロトコル（ＩＰ）アドレスの位置の特定に基づいて検索される、方法。
【請求項５】
請求項２記載の方法であって、
前記ユーザに通知を行うことは、
前記ユーザの前記携帯機器に第１の情報メッセージを伝送することであって、前記第１の情報メッセージは、前記口座操作を中止させるリクエストを伝送するオプションを含む、ことを含む、方法。
【請求項６】
請求項５に記載の方法であって、
前記ユーザに通知を行うことは、さらに、    前記口座操作を中止させるリクエストを前記ユーザが伝送する場合に、
口座操作プラットフォームに接続することと、
前記ユーザの口座を凍結することと、を含む、方法。
【請求項７】
請求項６に記載の方法であって、
前記ユーザに通知を行うことは、さらに、
前記ユーザの口座が操作されている位置を取得するために、リアルタイム追跡を実施することと、
前記ユーザの前記携帯機器に第２の情報メッセージを伝送することであって、前記第２の情報メッセージは、前記ユーザの口座が操作されている位置の情報を含み、前記無許可の口座操作を警察に通報するオプションでユーザを促す、ことと、
を含む、方法。
【請求項８】
請求項７に記載の方法であって、
前記ユーザに通知を行うことは、さらに、
前記無許可の口座操作を警察に通報することを前記ユーザが決定した場合に、警察通報メッセージを通報プラットフォームに伝送することを含む、方法。
【請求項９】
請求項１に記載の方法であって、さらに、
前記ユーザの現在地を検索する前に、サービス地点から検証リクエストを受信することを備える方法。
【請求項１０】
請求項１に記載の方法であって、さらに、
前記ユーザの現在地を検索する前に、前記ユーザの口座がサービス地点で操作されていることを検出することを備える方法。
【請求項１１】
口座セキュリティ保護システムであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
ユーザの現在地を検索し、
前記ユーザの口座が操作されている位置を検索し、
前記ユーザの現在地と、前記ユーザの口座が操作されている位置と、の間の距離が、あらかじめ定められた距離閾値を超えるかどうかを決定し、
前記ユーザの現在地と、前記ユーザの口座が操作されている位置との間の前記距離が前記あらかじめ定められた距離閾値を超える場合に、前記ユーザに通知を行うように構成される、システム。
【請求項１２】
請求項１１に記載のシステムであって、
前記プロセッサは、さらに、前記ユーザの口座に携帯機器を関係付けるように構成され、前記ユーザの現在地を検索することは、前記ユーザの口座に関係付けられた前記携帯機器の位置を特定することを含む、システム。
【請求項１３】
請求項１１に記載のシステムであって、
前記ユーザの口座が操作されている位置は、オフライン位置を含み、
前記ユーザの口座が操作されている位置は、操作されている携帯機器のマシンコードの位置に基づいて、位置情報サービス（ＬＢＳ）を使用して検索される、システム。
【請求項１４】
請求項１１に記載のシステムであって、
前記ユーザの口座が操作されている位置は、オンライン位置を含み、
前記ユーザの口座が操作されている位置は、操作されている携帯機器のインターネットプロトコル（ＩＰ）アドレスの位置の特定に基づいて検索される、システム。
【請求項１５】
請求項１２記載のシステムであって、
前記ユーザに通知を行うことは、
前記ユーザの前記携帯機器に第１の情報メッセージを伝送することであって、前記第１の情報メッセージは、前記口座操作を中止させるリクエストを伝送するオプションを含む、ことを含む、システム。
【請求項１６】
請求項１５に記載のシステムであって、
前記ユーザに通知を行うことは、さらに、
前記口座操作を中止させるリクエストを前記ユーザが伝送する場合に、
口座操作プラットフォームに接続することと、
前記ユーザの口座を凍結することと、を含む、システム。
【請求項１７】
請求項１６に記載のシステムであって、
前記ユーザに通知を行うことは、さらに、
前記ユーザの口座が操作されている位置を取得するために、リアルタイム追跡を実施することと、
前記ユーザの前記携帯機器に第２の情報メッセージを伝送することであって、前記第２の情報メッセージは、前記ユーザの口座が操作されている位置を含み、前記無許可の口座操作を警察に通報するオプションでユーザを促す、ことと、
を含む、システム。
【請求項１８】
請求項１７に記載のシステムであって、
前記ユーザに通知を行うことは、さらに、
前記無許可の口座操作を警察に通報することを前記ユーザが決定した場合に、警察通報メッセージを通報プラットフォームに伝送することを含む、システム。
【請求項１９】
非一時的なコンピュータ読み取り可能ストレージ媒体に実装された、口座セキュリティ保護のためのコンピュータプログラム製品であって、
ユーザの現在地と、前記ユーザの口座が操作されている位置とを検索するためのコンピュータ命令と、
前記ユーザの現在地と、前記ユーザの口座が操作されている位置との間の距離があらかじめ定められた距離閾値を超えるかどうかを決定するためのコンピュータ命令と、
前記ユーザの現在地と、前記ユーザの口座が操作されている位置との間の前記距離が前記あらかじめ定められた距離閾値を超える場合に、前記ユーザに通知を行うためのコンピュータ命令と、
を備えるコンピュータプログラム製品。
【発明の詳細な説明】
【技術分野】
【０００１】
［関連出願の相互参照］
本出願は、２０１２年４月１９日に出願され「ＡＮ  ＡＣＣＯＵＮＴ  ＳＥＣＵＲＩＴＹ  ＰＲＯＴＥＣＴＩＯＮ  ＭＥＴＨＯＤ  ＡＮＤ  ＳＹＳＴＥＭ（口座セキュリティ保護の方法およびシステム）」と題された中国特許出願第２０１２１０１１７１４０．８号の優先権を主張する。該出願は、あらゆる目的のために、参照によって本明細書に組み込まれる。
【０００２】
本出願は、口座セキュリティ保護の方法およびシステムに関する。
【背景技術】
【０００３】
インターネットの急速な発展は、多くの産業に甚大な変化をもたらしてきた。例えば、金融業界では、ユーザは、インターネットを通じて現金自動預入支払機（ＡＴＭ）で多様な取引を行うことができる。取引には、預け入れ、引き出し、および口座振り替えなどがある。ユーザは、また、実際に銀行に赴かなくても、口座振り替え、支払い、および購入などの多様な取引をオンラインバンキングを通じて行うこともできる。しかしながら、インターネットは、犯罪の機会も生み出してきた。ネットワークは、ユーザの口座（オンライン口座およびオフライン口座を含む）から貯蓄を盗むために、頻繁に使用されている。例えば、犯罪者は、ユーザの銀行カードをオフラインで不正利用することによって現金自動預入支払機で貯蓄を盗むことができる。犯罪者は、また、ユーザの口座のパスワードを不正利用することによって口座の盗用に携わることもできる。多くの場合、ユーザは、自分の口座が不正利用されていることをリアルタイムで検出することができず、自分の口座が不正利用されていたことを発見したときには、既に、損失が非常に大きくなっている。既存の盗用防止方法は、一般に、指定の場所にカメラを取り付ける方法であり、すなわち、手動の検査方法である。これらの盗用防止方法は、比較的高価であるのみならず、処理に遅れがあり、したがって、ユーザの損失を回収することが困難である。
【０００４】
したがって、口座の異常を適時に発見および処理することが、口座のセキュリティ保護を高めるとともに、ユーザの損失を抑えられるだろう。
【図面の簡単な説明】
【０００５】
以下の詳細な説明および添付の図面において、本発明の様々な実施形態が開示される。
【０００６】
【図１】口座セキュリティ保護方法の一実施形態を示したフローチャートである。
【０００７】
【図２】ユーザ通知方法の一実施形態を示したフローチャートである。
【０００８】
【図３】口座セキュリティ保護装置の一実施形態を示した構造ブロック図である。
【０００９】
【図４】通知ユニットの一実施形態を示した構造ブロック図である。
【００１０】
【図５】口座セキュリティ保護システムの一実施形態を示した構造ブロック図である。
【発明を実施するための形態】
【００１１】
本発明は、プロセス、装置、システム、合成物、コンピュータ読み取り可能なストレージ媒体に実装されたコンピュータプログラム製品、ならびに／または結合先のメモリに記憶された命令および／もしくは結合先のメモリによって提供される命令を実行するように構成されたプロセッサなどのプロセッサのような、数々の形態で実現することができる。本明細書では、これらの実現形態、または本発明がとりうるその他のあらゆる形態が、技術と称されるだろう。総じて、開示されたプロセスのステップの順序は、本発明の範囲内で変更されてよい。別途明記されない限り、タスクを実施するように構成されたものとして説明されるプロセッサまたはメモリなどのコンポーネントは、所定時にタスクを実施するように一時的に構成された汎用コンポーネントとして、またはタスクを実施するように製造された特殊コンポーネントとして実現されてよい。本明細書で使用される「プロセッサ」という用語は、コンピュータプログラム命令などのデータを処理するように構成される１つ以上のデバイス、回路、ならびに／または処理コアを言う。
【００１２】
本発明の原理を例示した添付の図面とともに、以下で、本発明の１つ以上の実施形態の詳細な説明が提供される。本発明は、このような実施形態との関わりのもとで説明されるが、いずれの実施形態にも限定されない。本発明の範囲は、特許請求の範囲によってのみ限定され、本発明は、数々の代替形態、変更形態、および均等物を包含している。以下の説明では、本発明の完全な理解を与えるために、数々の具体的詳細が明記されている。これらの詳細は、例示を目的として提供されたものであり、本発明は、これらの詳細の一部または全部を伴わずとも、特許請求の範囲にしたがって実施されえる。明瞭さを期するために、本発明に関連する技術分野で知られる技工物は、本発明が不必要に不明瞭にされないように、詳細な説明を省略されている。
【００１３】
一部の実施形態では、ユーザが口座操作を開始したときに、ユーザの現在地と、口座が操作されている位置とが同じ位置であるかどうかについての評価が下される。評価は、ユーザの現在地と、口座が操作されている位置との間の距離があらかじめ定められた距離閾値内であるかどうかを決定することを含む。ユーザの現在地と、口座が操作されている位置とがあらかじめ定められた距離閾値内でない場合、ユーザは、口座の異常に気付いて迅速に状況に対処することができるように直ちに通知を受ける。したがって、迅速な通知は、口座盗用の発生を減らし、ユーザの口座のセキュリティを高めることができる。
【００１４】
図１は、口座セキュリティ保護方法の一実施形態を示したフローチャートである。方法１００は、図３のシステム３００において実行に移すことができる。方法１００は、以下の操作を含む。
【００１５】
１１０では、サーバは、ユーザの現在地と、ユーザの口座が操作されている位置とを検索（または取得）するように構成される。一部の実施形態では、サーバは、サービス地点の座標と、登録された携帯機器の座標とを得るために、データベースにアクセスする。これら２つの座標の間の距離があらかじめ定められた距離を超える場合、サーバは、ユーザの登録携帯機器に警告するために、検証方法を開始する。
【００１６】
一部の実施形態では、サーバは、ユーザの現在地と、登録携帯機器の位置とが同じ位置でない場合に、検証方法を開始する。
【００１７】
例えば、ユーザの現在地は、ユーザの携帯機器の位置に基づいて検索することができる。この例では、携帯機器は、ユーザの口座に関係付けられた携帯電話であり、このような関係付けは、ユーザが口座を登録するときに行うことができる。
【００１８】
一部の実施形態では、比較を行うために使用されるデータベースは、ＩＤと、サービス地点マシンコードと、対応するサービス地点アドレスとを有する第１のテーブル、および銀行カードの番号と、対応する登録携帯機器の電話番号とを有する第２のテーブルを含む。
【００１９】
無許可のユーザがＡＴＭで銀行カードを使用するときに、サーバは、第１のテーブルを使用してサービス地点の位置を取得し、第２のテーブルを使用して携帯機器の現在地を取得する。サーバは、ユーザのサービス地点の操作位置と、携帯機器の現在地とを比較する。一部の実施形態では、携帯機器の現在地を取得するために、サーバは、地図との連携のもとで携帯機器の位置を取得して緯度座標および経度座標を決定し、操作されているサービス地点の位置と、ユーザの携帯機器の位置との間の距離があらかじめ定められた距離を超えるかどうかを決定する。サービス地点の位置と、ユーザの携帯機器の位置との間の距離があらかじめ定められた距離を超える場合は、サーバは、登録携帯機器に警告または操作命令を送信する。
【００２０】
一部の実施形態では、携帯機器は、無線通信機能および（全地球測位システム（ＧＰＳ）ポジショニングもしくは位置情報サービス（ＬＢＳ）ポジショニングを通じた）位置決定機能を有する可搬型の機器であってよい。携帯機器とユーザの口座との関係付けは、バックエンドデータベースにおける携帯機器とユーザの口座との間の対応関係の確立に基づいて実現される。携帯機器とユーザの口座との間の対応関係は、携帯機器とユーザの口座との間の関係付けであると見なされる。一部の実施形態では、例えば、Ａｌｉｐａｙ口座を有するユーザのためのＡｌｉｐａｙプラットフォームでは、Ａｌｉｐａｙ口座と、該Ａｌｉｐａｙ口座がリンクされたユーザの携帯電話番号との間の対応関係がＡｌｉｐａｙプラットフォーム記録され、該対応関係は、携帯機器とユーザの口座との間の関係付けであるとも見なすことができる。上記の例は、関係付けの確立方法を制限するものではない。
【００２１】
一部の実施形態では、携帯機器とユーザの口座との間に関係付けが存在する場合に、サーバは、現在使用されている携帯機器が正しいかどうかをその携帯機器とユーザの口座との間の関係付けに基づいて決定するように構成される。例えば、一部の実施形態では、サーバは、ユーザの口座がリンクされた携帯電話番号が現在使用されている携帯機器に関するものであるかどうかを評価するように構成される。別の例では、サーバは、ハードウェア識別番号を読み出すようにおよびその読み出された値を返すように、（例えば、アプリケーションプログラミングインターフェース（ＡＰＩ）コールを通じて）携帯機器に要求し、その携帯電話のハードウェア識別番号を、ユーザ登録プロセスの際に前もって妥当性を証明済みであるハードウェア識別番号（例えば、メーカによって機器に割り当てられた一意の識別子）と比較するように構成される。両ハードウェア識別番号が同じである場合、携帯機器は、正しいと見なされ、サーバは、その携帯機器によってユーザの現在地を検索することを許可する。両ハードウェア識別番号が同じでない場合、サーバは、その携帯機器を正しくないと見なし、ユーザの現位置の検索を却下するように構成される。
【００２２】
ユーザの現在地は、ユーザの携帯機器を使用し、その携帯電話に含まれるＧＰＳモジュールによるＧＰＳポジショニングを通じてＡＰＩコールを使用して取得される。ユーザの現在地は、また、携帯機器に含まれるＬＢＳモジュールによるＬＢＳポジショニングを通じて取得することもできる。サーバは、ユーザによって使用されている現在の機器を使用する。該機器は、オンラインまたはオフラインであってよい。デバイスがオンラインである場合、サーバは、適切なデータを決定するために、デバイスのＩＰアドレスを使用する。デバイスがオフラインである場合、サーバは、対応するアドレスおよび座標を取得するために、データベーステーブルにアクセスする。
【００２３】
ＬＢＳポジショニングは、少なくとも２つの意味を有する。ＬＢＳポジショニングの第１の意味は、携帯機器またはユーザの地理的位置の決定を言う。ＬＢＳポジショニングの第２の意味は、位置に関連した様々なタイプの情報サービスの提供を言う。言い換えると、様々なタイプのポジショニング関連サービスが、単純に「ポジショニングサービス」を言うのに対し、ＬＢＳポジショニングは、インターネットまたは無線ネットワークの支援を受けて、２つの主な機能、すなわち、ポジショニングとサービスとを実現するものである。携帯機器内のＬＢＳモジュールは、地理情報システム（ＧＩＳ）の支援を受けて、携帯機器のエンドユーザの位置情報を検索し、関連のサービスをユーザに提供するために、移動体通信プロバイダ（ＧＳＭ（登録商標）ネットワークもしくはＣＤＭＡネットワーク）および／または外部のポジショニング方法（ＧＰＳなど）を利用する。
【００２４】
サーバは、登録された携帯電話番号を取得し、機器がＧＰＳ機能を有するかどうかを決定する。機器がＧＰＳ機能を有さない場合、サーバは、携帯機器の無線通信ネットワークを使用して位置を取得する。機器がＧＰＳ機能を有する場合、サーバは、携帯機器の現在地に命令を送信する。携帯機器の末端ユーザの位置情報は、地理座標または測地座標を含むことができる。
【００２５】
上述された、ユーザの現在地を検索する方法は、例示的なものであり、本出願は、上述された方法に限定されない。
【００２６】
一部の実施形態では、ユーザの口座が操作されている位置は、オフライン位置に対応している。位置がオフライン位置に対応している場合は、操作されている機器のマシンコードの位置を、ＬＢＳを使用して特定することに基づいて、ユーザの口座が操作されている位置を検索することができる。
【００２７】
一例として、サーバからメッセージを受信した後、ユーザは、「続行する」および「取り消す」ために０を入力し、「停止する」ために１を入力し、「犯罪を通報する」ために２を入力することができる。サーバは、ユーザによる選択にしたがってアクションを起こす。サーバは、「０」を受信した場合は何もアクションを起こさず、「１」を受信した場合は口座を凍結し、「２」を受信した場合は音声に基づく犯罪通報システムなどを使用して例えば警察などの地方当局に犯罪を通報する。
【００２８】
例えば、ユーザは、現金自動預入支払機で取引を完了させるために、自分の銀行カードを使用することができる。現サービス地点（ユーザの口座が操作されている位置）は、ユーザが取引を完了させている現金自動預入支払機のマシンコードに基づいて取得することができる。別の例では、事前に構築されたサービス地点情報データベースから、現金自動預入支払機のマシンコードに基づいて、対応するサービス地点アドレスを取得することができる。サービス地点アドレスおよび地図データに基づいて、経度座標値および緯度座標値を読み出すことができ、これらの読み出された座標値に基づいて、現サービス地点の具体的な位置を決定することができる。
【００２９】
ユーザが、口座にアクセスするためにＡＴＭを使用している場合、サーバは、入力されたコードが正しいかどうかをチェックし、それと同時に、ＡＴＭの位置と、ユーザの登録携帯機器の位置との間の距離があらかじめ定められた値内であるかどうかを決定する。
【００３０】
一部の実施形態では、ユーザの口座が操作されている位置は、オンライン位置に対応することができる。位置がオンライン位置に対応している場合は、操作されている機器のインターネットプロトコル（ＩＰ）を取得することに基づいて、ユーザの口座が操作されている位置を検索することができる。
【００３１】
例えば、ユーザが、自分のＡｌｉｐａｙ口座を使用して取引を完了させるために、パソコン（ＰＣ）を使用してＡｌｉｐａｙプラットフォームにログインしている場合、ユーザのＡｌｉｐａｙ口座が操作されている位置は、ユーザのＰＣのＩＰアドレスを取得することによって決定することができる。
【００３２】
一部の実施形態では、サーバは、ユーザのＰＣのＩＰアドレスに基づいてユーザのＰＣの座標を決定するために、事前に構築されたデータベースを使用する。ユーザのＰＣの座標は、登録携帯機器の座標と比較される。一部の実施形態では、座標は、位置に対応している。
【００３３】
一部の実施形態では、構築されたデータベースは、ＩＤと、マシンコードと、対応するＩＰアドレスと、対応するアドレス位置とを含むテーブルを有する。
【００３４】
１２０では、サーバは、ユーザの現在地と、ユーザの口座が操作されている位置との間の距離があらかじめ定められた距離閾値を超えるかどうかを決定するように構成される。
【００３５】
１３０では、ユーザの現在と、ユーザの口座が操作されている位置との間の距離があらかじめ定められた距離閾値を超える場合に、サーバは、ユーザに通知を行うように構成される。
【００３６】
例えば、ユーザの現在地およびユーザの口座が操作されている位置は、それぞれ、地図上の場所を表す座標点として表される。言い換えると、各座標点は、地図座標値（例えば経緯度値）に対応することができる。２つの位置間の距離は、ユーザの現在地の座標値をユーザの口座が操作されている位置の座標値から減算して得られる差の絶対値に基づいて、計算することができる。２つの場所の間の距離があらかじめ定められた距離閾値を超える場合、サーバは、ユーザに通知を行うように構成される。一部の実施形態では、あらかじめ定められた距離閾値は、５メートルであってよい。
【００３７】
一部の実施形態では、ユーザへの通知は、第１の情報メッセージをユーザの携帯機器に伝送することを含むことができる。第１の情報メッセージは、口座操作を中止させる選択肢によってユーザを促すことを含むことができる。
【００３８】
図２は、ユーザ通知方法の一実施形態を示したフローチャートである。方法２００は、図１の操作１３０の実行であってよい。方法２００は、以下の操作を含む。
【００３９】
２１０では、サーバは、口座操作を中止させるリクエストを伝送する選択肢によってユーザに接触するように構成される。
【００４０】
２２０では、口座操作を中止させるリクエストがユーザから受信された場合に、サーバは、口座操作プラットフォームに接続するように構成される。
【００４１】
一部の実施形態では、ユーザが口座を操作しているときに、サーバは、検証方法を起動させ、ユーザによって返された値に基づいて、ＳＭＳを使用して様々なアクションを口座所有者に送信する。口座所有者が「０」を送信した場合、サーバは、操作を続け、口座所有者が「１」を送信した場合、サーバは、口座を凍結して無許可ユーザの顔の特徴を記録するように銀行に通知し、犯罪の通報を開始する。
【００４２】
口座は、オンラインまたはオフラインであってよい。オフラインタイプは、一般に、銀行カードに対応し、オンラインタイプは、一般に、ウェブをベースにした口座に対応している。銀行カードが使用されている場合、サーバは、その銀行カードが許可なく使用されていることを通報し、その銀行カードに関係付けられた口座が凍結され、その銀行カードを発行している銀行次第でその他のアクションが実施される。
【００４３】
２３０では、サーバは、ユーザの口座を凍結するように構成される。
【００４４】
例えば、ユーザの携帯電話に基づいてユーザの現在地が決定され、ユーザの現在地と、（携帯電話がリンクされた）銀行カードが操作されている位置との間の距離が、あらかじめ定められた距離閾値である５メートルを超える場合に、サーバは、ユーザの携帯電話にテキストメッセージを伝送することができる。
【００４５】
一例では、テキストメッセージの内容は、「下４桁が２３４５のお客様の銀行カードがメインストリート１２３番地で使用されています。操作を中止させますか？」であってよい。一部の実施形態では、メッセージは、２つの選択肢、「中止」および「続行」を含むことができる。「中止」選択肢は、口座操作を中止させるリクエストの送信に関係していてよい。「中止」選択肢が選択された場合、サーバは、口座操作を中止させるリクエストを送って銀行カードを凍結するために、バンキングシステムに接続することができる。ＡＴＭからのユーザの距離があらかじめ定められた距離を超える場合は、検証方法が開始される。
【００４６】
別の例では、ユーザの携帯電話を通じたユーザの現在地と、ユーザのＡｌｉｐａｙ口座（該口座は銀行カードにリンクされている）が操作されている位置との間の距離が、あらかじめ定められた距離閾値である１メートルを超える場合に、サーバは、ユーザの携帯電話にテキストメッセージを伝送することができる。テキストメッセージの内容は、「お客様のＡｌｉｐａｙ口座がメインストリート１２３番地で使用されています。操作を中止させますか？」であってよい。一部の実施形態では、メッセージは、２つの選択肢、「中止」および「続行」を含むこともできる。「中止」選択肢は、口座操作を中止させるリクエストの送信に関係していてよい。「中止」選択肢が選択された場合、サーバは、口座操作を中止させるリクエストを送って現Ａｌｉｐａｙ口座を凍結するために、バンキングシステムに接続することができる。
【００４７】
さらに別の例では、ユーザの携帯電話を通じたユーザの現在地と、銀行カード（該銀行カードに携帯電話はリンクされている）が操作されている位置との間の距離が、あらかじめ定められた距離閾値である５メートルを超える場合に、サーバは、ネットワーク電話を使用して、リンクされたユーザの携帯電話に直接電話をかけるように構成される。ユーザが携帯電話に出た場合は、音声メッセージが送られる。音声メッセージの内容は、上記の例で説明されたテキストメッセージの内容に対応していてよい。また、ユーザは、音声メッセージで提供される選択肢に基づいて、口座に対して操作を行うことができる。例えば、ユーザは、口座操作を中止させるリクエストを発行するために１を押すように、または口座操作を続行させるために０を押すように、指示を受けることができる。「中止」選択肢は、口座操作を中止させるリクエストの送信を言うことができる。ユーザが「中止」選択肢を選択するために１を押した場合、サーバは、データベースのなかの関連する銀行カード口座情報に基づいて口座操作を中止させて銀行カードを凍結するコマンドを伝送するために、バンキングシステムに接続することができる。
【００４８】
２４０では、サーバは、ユーザの口座が操作されている位置を取得するために、リアルタイム追跡を行うように構成される。
【００４９】
一部の実施形態では、ユーザの口座を操作している登録携帯機器に対してリアルタイム追跡が実施されている場合に、サーバは、リアルタイムで位置データを取得する。
【００５０】
２５０では、サーバは、第２の情報メッセージをユーザの携帯機器に伝送するように構成される。第２の情報メッセージは、ユーザの口座が操作されている位置情報を含むことができ、無許可の口座操作を警察に通報する選択肢によってユーザを促すことができる。
【００５１】
２６０では、ユーザが無許可の口座操作を警察に通報することを決定した場合に、サーバは、警察通報メッセージを生成し、その警察通報メッセージを警察通報プラットフォームに伝送するように構成される。
【００５２】
例えば、上記のように、ユーザが「２」を送信した場合、サーバは、コマンドを受信して人の特徴の記録を開始し、座標、銀行名、および口座番号を取得する。サーバは、また、警察またはセキュリティプラットフォームにメッセージを送信する。メッセージは、音声メッセージまたはＳＭＳを通じて送信することができる。例えば、メッセージは、「末尾が１２３５の＊＊銀行カードが＊＊ストリートにおいて許可なく使用されています。直ちに派遣を要請します。通報者：［氏名］」を含む。
【００５３】
一部の実施形態では、サーバは、リアルタイム追跡を実施して、ユーザの口座を無許可ユーザが使用している位置を取得するように、およびユーザに通知を行うように構成することができる。無許可の口座操作をユーザが警察に通報する場合、サーバは、人件費および材料費を抑えつつ位置の取得を促して警察または関連人員によって無許可ユーザを捕獲するために、無許可ユーザによるユーザ口座の無許可使用の位置情報に基づいて警察通報プラットフォームに通知を行うように構成することができる。
【００５４】
一例として、口座操作を中止させるおよびそれと実質的に同時にユーザの口座を凍結するリクエストをユーザが開始した後、サーバは、追跡を実施して、ユーザの口座が操作されている位置を取得するように、およびリンクされたユーザの携帯電話に第２の情報メッセージを通じて位置を伝送するように構成される。第２の情報メッセージの内容は、「末尾が２３４５のお客様の銀行カードがメインストリート１２３番地において不正利用されています。この不正利用を警察に通報しますか？」であってよい。テキストメッセージは、「警察に通報する」および「取り消す」の２つの選択肢を含むこともできる。「警察に通報する」選択肢をユーザが選択した場合、サーバは、警察通報リクエストを伝送するように構成される。警察通報メッセージは、テキストメッセージなどによって通報を受信するように構成された警察通報プラットフォームにテキストメッセージの形態で伝送することができる。警察通報メッセージの内容は、「メインストリート１２３番地において銀行カードが無許可ユーザによって不正利用されています。直ちに派遣を要請します。通報者：ボブ・スミス、（６５０）−５５５−５５５５」であってよい。
【００５５】
一部の実施形態では、ユーザの口座は、銀行カード口座、Ａｌｉｐａｙ口座、Ｔａｏｂａｏ口座、インスタントメッセージ（ＩＭ）口座などの、任意のオンラインまたはオフラインのユーザ口座を含んでいてよい。
【００５６】
ユーザの現在地、およびユーザの口座が操作されている位置を決定すれば、例えば、ユーザの位置と、口座が操作されている位置とが同じ場所でないなどのように、これらの２つの位置の間の距離が既定値を超えるときに、情報メッセージをユーザに送信することができる。したがって、頻繁な情報伝達によって生じる無線通信リソースの使用によって、コストを削減することができる。
【００５７】
図３は、口座セキュリティ保護装置の一実施形態を示した構造ブロック図である。装置３００は、図１の方法１００を実行するように構成することができる。装置３００は、ユーザ位置検索ユニット３１０と、口座操作位置検索ユニット３２０と、距離決定ユニット３３０と、通知ユニット３４０とを含む。
【００５８】
ユーザ位置検索ユニット３１０は、ユーザの現在地を検索するように構成される。
【００５９】
口座操作位置検索ユニット３２０は、ユーザの口座が操作されている位置を検索するように構成される。
【００６０】
距離決定ユニット３３０は、ユーザの現在地と、ユーザの口座が操作されている位置との間の距離があらかじめ定められた距離閾値を超えるかどうかを決定するように構成される。
【００６１】
ユーザの現在地と、ユーザの口座が操作されている位置との間の距離があらかじめ定められた距離閾値を超える場合、通知ユニット３４０は、ユーザに通知を行うように構成される。
【００６２】
一部の実施形態では、ユーザの現在地は、ユーザの携帯機器の位置の取得に基づいて検索することができる。この例では、通知ユニット３４０は、ユーザ位置検索ユニット３１０に接続するように、および携帯機器をユーザの口座に関係付けるように構成することができる。
【００６３】
一部の実施形態では、ユーザの口座が現在操作されている位置は、オフライン位置を含むことができる。ユーザの口座が操作されている位置は、操作されている機器のマシンコードに基づいて、ＬＢＳを使用して検索することができる。
【００６４】
一部の実施形態では、ユーザの口座が操作されている位置は、オンライン位置を含むことができる。ユーザの口座が操作されている位置は、操作されている機器のＩＰアドレスの位置に基づいて検索されてよい。
【００６５】
図４は、通知ユニットの一実施形態を示した構造ブロック図である。通知ユニット３４０は、第１の情報メッセージ伝送ユニット４１０と、接続ユニット４２０と、口座凍結処理ユニット４３０と、追跡ユニット４４０と、第２の情報メッセージ伝送ユニット４５０と、警察通報ユニット４６０とを含むことができる。
【００６６】
第１の情報メッセージ伝送ユニット４１０は、第１の情報メッセージをユーザの携帯機器に伝送するように構成される。第１の情報メッセージは、口座操作を中止させるリクエストを伝送する選択肢を含むことができる。
【００６７】
口座操作を中止させるリクエストをユーザが伝送した場合、接続ユニット４２０は、関連の口座操作プラットフォームに接続するように構成される。
【００６８】
接続ユニット４２０が関連の口座操作プラットフォームに接続された場合、口座凍結処理ユニット４３０は、ユーザの口座を凍結するように構成される。
【００６９】
追跡ユニット４４０は、ユーザの口座が操作されている位置を取得するためにリアルタイム追跡を実施するように構成される。
【００７０】
第２の情報メッセージ伝送ユニット４５０は、第２の情報メッセージをユーザの携帯機器に伝送するように構成される。第２の情報メッセージは、ユーザの口座が操作されている位置を含むことができ、無許可の口座操作を警察または関連当局に通報する選択肢によってユーザを促すことができる。
【００７１】
無許可の口座操作を警察または関連当局に通報することをユーザが決定した場合、警察通報ユニット４６０は、警察通報メッセージを生成するようにおよび該警察通報メッセージを警察通報プラットフォームに伝送するように構成される。
【００７２】
図５は、口座セキュリティ保護システムの一実施形態を示した構造ブロック図である。システム５００は、ネットワーク５３０を通じてサーバ５２０に接続されたクライアント５１０を含む。パソコン（ＰＣ）５１５、携帯機器５２５、現金自動預入支払機（ＡＴＭ）５３５、および中央検証サーバ５４０が、ネットワーク５３０を通じてサーバ５２０に接続されている。図３のシステム３００が、サーバ５２０を実現するために使用することができる。ユーザは、クライアント５１０を使用することができる。
【００７３】
距離Ｄは、ＡＴＭ５３５と、携帯機器５２５との間の距離に対応しており、距離Ｄ’は、ＰＣ５１５と、携帯機器５２５との間の距離に対応している。言い換えると、ＤおよびＤ‘’は、携帯機器５２５と、サービス地点機器（ＰＣ５１５およびＡＴＭ５３５）との間の距離に対応している。システムは、サービス地点機器の位置と、登録携帯機器の位置との間の距離を決定するために、これらの２つの位置を決定する。
【００７４】
上述されたユニットは、１つ以上の汎用プロセッサ上で実行されるソフトウェアコンポーネントとして、またはプログラマブルロジックデバイスおよび／もしくは特定の機能を実施するように設計された特殊用途向け集積回路などのハードウェアとして、またはそれらの組み合わせとして実装することができる。一部の実施形態では、ユニットは、本発明の実施形態で説明される方法を（パソコン、サーバ、ネットワーク機器などの）計算装置に実行させるための幾つかの命令を含み尚且つ（光ディスク、フラッシュストレージデバイス、モバイルハードディスクなどの）不揮発性のストレージ媒体に記憶させることができるソフトウェア製品の形で具現化することができる。ユニットは、１つのデバイスに実装されてよい、または複数のデバイスに分散されてよい。ユニットの機能は、互いに合体されてよい、または複数の小ユニットにさらに分割されてよい。
【００７５】
本明細書で開示された実施形態に照らして説明された方法またはアルゴリズム的段階は、ハードウェア、プロセッサによって実行されるソフトウェアモジュール、またはその両方の組み合わせを使用して実現することができる。ソフトウェアモジュールは、ランダムアクセスメモリ（ＲＡＭ）、メモリ、読み出し専用メモリ（ＲＯＭ）、電気的にプログラム可能なＲＯＭ、電気的に消去可能でプログラム可能なＲＯＭ、レジスタ、ハードドライブ、着脱式ディスク、ＣＤ−ＲＯＭ、または当該技術分野で知られるその他の任意の形態のストレージ媒体にインストールすることができる。
【００７６】
以上の実施形態は、理解を明瞭にする目的で幾らか詳細に説明されてきたが、本発明は、提供された詳細に限定されない。本発明を実現するには、多くの代替的手法がある。開示された実施形態は、例示的であり、限定的ではない。
【図１】
2015520442.tif 000003
【図２】
2015520442.tif 000004
【図３】
2015520442.tif 000005
【図４】
2015520442.tif 000006
【図５】
2015520442.tif 000007
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
口座セキュリティ保護方法であって、
ユーザの現在地と、前記ユーザの口座が操作されている位置とを検索することと、
プロセッサを使用し、前記ユーザの現在地と、前記ユーザの口座が操作されている位置と、の間の距離が、あらかじめ定められた距離閾値を超えるかどうかを決定することと、
前記ユーザの現在地と、前記ユーザの口座が操作されている位置との間の前記距離が前記あらかじめ定められた距離閾値を超える場合に、前記プロセッサを使用し、前記ユーザに通知を行うことと、
を備える方法。
【請求項２】
請求項１に記載の方法であって、さらに、
前記ユーザの口座に携帯機器を関係付けることを備え、前記ユーザの現在地を検索することは、前記ユーザの口座に関係付けられた前記携帯機器の位置を特定することを含む、方法。
【請求項３】
請求項１に記載の方法であって、
前記ユーザの口座が操作されている位置は、オフライン位置を含み、
前記ユーザの口座が操作されている位置は、操作されている携帯機器のマシンコードの位置に基づいて、位置情報サービス（ＬＢＳ）を使用して、検索される、方法。
【請求項４】
請求項１に記載の方法であって、
前記ユーザの口座が操作されている位置は、オンライン位置を含み、
前記ユーザの口座が操作されている位置は、操作されている携帯機器のインターネットプロトコル（ＩＰ）アドレスの位置の特定に基づいて検索される、方法。
【請求項５】
請求項２記載の方法であって、
前記ユーザに通知を行うことは、
前記ユーザの前記携帯機器に第１の情報メッセージを伝送することであって、前記第１の情報メッセージは、前記口座操作を中止させるリクエストを伝送するオプションを含む、ことを含む、方法。
【請求項６】
請求項５に記載の方法であって、
前記ユーザに通知を行うことは、さらに、    前記口座操作を中止させるリクエストを前記ユーザが伝送する場合に、
口座操作プラットフォームに接続することと、
前記ユーザの口座を凍結することと、を含む、方法。
【請求項７】
請求項６に記載の方法であって、
前記ユーザに通知を行うことは、さらに、
前記ユーザの口座が操作されている位置を取得するために、リアルタイム追跡を実施することと、
前記ユーザの前記携帯機器に第２の情報メッセージを伝送することであって、前記第２の情報メッセージは、前記ユーザの口座が操作されている位置の情報を含み、前記無許可の口座操作を警察に通報するオプションでユーザを促す、ことと、
を含む、方法。
【請求項８】
請求項７に記載の方法であって、
前記ユーザに通知を行うことは、さらに、
前記無許可の口座操作を警察に通報することを前記ユーザが決定した場合に、警察通報メッセージを通報プラットフォームに伝送することを含む、方法。
【請求項９】
請求項１に記載の方法であって、さらに、
前記ユーザの現在地を検索する前に、サービス地点から検証リクエストを受信することを備える方法。
【請求項１０】
請求項１に記載の方法であって、さらに、
前記ユーザの現在地を検索する前に、前記ユーザの口座がサービス地点で操作されていることを検出することを備える方法。
【請求項１１】
口座セキュリティ保護システムであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
ユーザの現在地を検索し、
前記ユーザの口座が操作されている位置を検索し、
前記ユーザの現在地と、前記ユーザの口座が操作されている位置と、の間の距離が、あらかじめ定められた距離閾値を超えるかどうかを決定し、
前記ユーザの現在地と、前記ユーザの口座が操作されている位置との間の前記距離が前記あらかじめ定められた距離閾値を超える場合に、前記ユーザに通知を行うように構成される、システム。
【請求項１２】
請求項１１に記載のシステムであって、
前記プロセッサは、さらに、前記ユーザの口座に携帯機器を関係付けるように構成され、前記ユーザの現在地を検索することは、前記ユーザの口座に関係付けられた前記携帯機器の位置を特定することを含む、システム。
【請求項１３】
請求項１１に記載のシステムであって、
前記ユーザの口座が操作されている位置は、オフライン位置を含み、
前記ユーザの口座が操作されている位置は、操作されている携帯機器のマシンコードの位置に基づいて、位置情報サービス（ＬＢＳ）を使用して検索される、システム。
【請求項１４】
請求項１１に記載のシステムであって、
前記ユーザの口座が操作されている位置は、オンライン位置を含み、
前記ユーザの口座が操作されている位置は、操作されている携帯機器のインターネットプロトコル（ＩＰ）アドレスの位置の特定に基づいて検索される、システム。
【請求項１５】
請求項１２記載のシステムであって、
前記ユーザに通知を行うことは、
前記ユーザの前記携帯機器に第１の情報メッセージを伝送することであって、前記第１の情報メッセージは、前記口座操作を中止させるリクエストを伝送するオプションを含む、ことを含む、システム。
【請求項１６】
請求項１５に記載のシステムであって、
前記ユーザに通知を行うことは、さらに、
前記口座操作を中止させるリクエストを前記ユーザが伝送する場合に、
口座操作プラットフォームに接続することと、
前記ユーザの口座を凍結することと、を含む、システム。
【請求項１７】
請求項１６に記載のシステムであって、
前記ユーザに通知を行うことは、さらに、
前記ユーザの口座が操作されている位置を取得するために、リアルタイム追跡を実施することと、
前記ユーザの前記携帯機器に第２の情報メッセージを伝送することであって、前記第２の情報メッセージは、前記ユーザの口座が操作されている位置を含み、前記無許可の口座操作を警察に通報するオプションでユーザを促す、ことと、
を含む、システム。
【請求項１８】
請求項１７に記載のシステムであって、
前記ユーザに通知を行うことは、さらに、
前記無許可の口座操作を警察に通報することを前記ユーザが決定した場合に、警察通報メッセージを通報プラットフォームに伝送することを含む、システム。
【請求項１９】
口座セキュリティ保護のためのコンピュータプログラムであって、コンピュータを使用して、
ユーザの現在地と、前記ユーザの口座が操作されている位置とを検索する機能と、
前記ユーザの現在地と、前記ユーザの口座が操作されている位置との間の距離があらかじめ定められた距離閾値を超えるかどうかを決定する機能と、
前記ユーザの現在地と、前記ユーザの口座が操作されている位置との間の前記距離が前記あらかじめ定められた距離閾値を超える場合に、前記ユーザに通知を行う機能と、
を備えるコンピュータプログラム製品。
【手続補正２】
【補正対象書類名】明細書
【補正対象項目名】００７６
【補正方法】変更
【補正の内容】
【００７６】
以上の実施形態は、理解を明瞭にする目的で幾らか詳細に説明されてきたが、本発明は、提供された詳細に限定されない。本発明を実現するには、多くの代替的手法がある。開示された実施形態は、例示的であり、限定的ではない。
本発明は、たとえば、以下のような態様で実現することもできる。
適用例１：
口座セキュリティ保護方法であって、
ユーザの現在地と、前記ユーザの口座が操作されている位置とを検索することと、
プロセッサを使用し、前記ユーザの現在地と、前記ユーザの口座が操作されている位置と、の間の距離が、あらかじめ定められた距離閾値を超えるかどうかを決定することと、
前記ユーザの現在地と、前記ユーザの口座が操作されている位置との間の前記距離が前記あらかじめ定められた距離閾値を超える場合に、前記プロセッサを使用し、前記ユーザに通知を行うことと、
を備える方法。
適用例２：
適用例１に記載の方法であって、さらに、
前記ユーザの口座に携帯機器を関係付けることを備え、前記ユーザの現在地を検索することは、前記ユーザの口座に関係付けられた前記携帯機器の位置を特定することを含む、方法。
適用例３：
適用例１に記載の方法であって、
前記ユーザの口座が操作されている位置は、オフライン位置を含み、
前記ユーザの口座が操作されている位置は、操作されている携帯機器のマシンコードの位置に基づいて、位置情報サービス（ＬＢＳ）を使用して、検索される、方法。
適用例４：
適用例１に記載の方法であって、
前記ユーザの口座が操作されている位置は、オンライン位置を含み、
前記ユーザの口座が操作されている位置は、操作されている携帯機器のインターネットプロトコル（ＩＰ）アドレスの位置の特定に基づいて検索される、方法。
適用例５：
適用例２記載の方法であって、
前記ユーザに通知を行うことは、
前記ユーザの前記携帯機器に第１の情報メッセージを伝送することであって、前記第１の情報メッセージは、前記口座操作を中止させるリクエストを伝送するオプションを含む、ことを含む、方法。
適用例６：
適用例５に記載の方法であって、
前記ユーザに通知を行うことは、さらに、    前記口座操作を中止させるリクエストを前記ユーザが伝送する場合に、
口座操作プラットフォームに接続することと、
前記ユーザの口座を凍結することと、を含む、方法。
適用例７：
適用例６に記載の方法であって、
前記ユーザに通知を行うことは、さらに、
前記ユーザの口座が操作されている位置を取得するために、リアルタイム追跡を実施することと、
前記ユーザの前記携帯機器に第２の情報メッセージを伝送することであって、前記第２の情報メッセージは、前記ユーザの口座が操作されている位置の情報を含み、前記無許可の口座操作を警察に通報するオプションでユーザを促す、ことと、
を含む、方法。
適用例８：
適用例７に記載の方法であって、
前記ユーザに通知を行うことは、さらに、
前記無許可の口座操作を警察に通報することを前記ユーザが決定した場合に、警察通報メッセージを通報プラットフォームに伝送することを含む、方法。
適用例９：
適用例１に記載の方法であって、さらに、
前記ユーザの現在地を検索する前に、サービス地点から検証リクエストを受信することを備える方法。
適用例１０：
適用例１に記載の方法であって、さらに、
前記ユーザの現在地を検索する前に、前記ユーザの口座がサービス地点で操作されていることを検出することを備える方法。
適用例１１：
口座セキュリティ保護システムであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
ユーザの現在地を検索し、
前記ユーザの口座が操作されている位置を検索し、
前記ユーザの現在地と、前記ユーザの口座が操作されている位置と、の間の距離が、あらかじめ定められた距離閾値を超えるかどうかを決定し、
前記ユーザの現在地と、前記ユーザの口座が操作されている位置との間の前記距離が前記あらかじめ定められた距離閾値を超える場合に、前記ユーザに通知を行うように構成される、システム。
適用例１２：
適用例１１に記載のシステムであって、
前記プロセッサは、さらに、前記ユーザの口座に携帯機器を関係付けるように構成され、前記ユーザの現在地を検索することは、前記ユーザの口座に関係付けられた前記携帯機器の位置を特定することを含む、システム。
適用例１３：
適用例１１に記載のシステムであって、
前記ユーザの口座が操作されている位置は、オフライン位置を含み、
前記ユーザの口座が操作されている位置は、操作されている携帯機器のマシンコードの位置に基づいて、位置情報サービス（ＬＢＳ）を使用して検索される、システム。
適用例１４：
適用例１１に記載のシステムであって、
前記ユーザの口座が操作されている位置は、オンライン位置を含み、
前記ユーザの口座が操作されている位置は、操作されている携帯機器のインターネットプロトコル（ＩＰ）アドレスの位置の特定に基づいて検索される、システム。
適用例１５：
適用例１２記載のシステムであって、
前記ユーザに通知を行うことは、
前記ユーザの前記携帯機器に第１の情報メッセージを伝送することであって、前記第１の情報メッセージは、前記口座操作を中止させるリクエストを伝送するオプションを含む、ことを含む、システム。
適用例１６：
適用例１５に記載のシステムであって、
前記ユーザに通知を行うことは、さらに、
前記口座操作を中止させるリクエストを前記ユーザが伝送する場合に、
口座操作プラットフォームに接続することと、
前記ユーザの口座を凍結することと、を含む、システム。
適用例１７：
適用例１６に記載のシステムであって、
前記ユーザに通知を行うことは、さらに、
前記ユーザの口座が操作されている位置を取得するために、リアルタイム追跡を実施することと、
前記ユーザの前記携帯機器に第２の情報メッセージを伝送することであって、前記第２の情報メッセージは、前記ユーザの口座が操作されている位置を含み、前記無許可の口座操作を警察に通報するオプションでユーザを促す、ことと、
を含む、システム。
適用例１８：
適用例１７に記載のシステムであって、
前記ユーザに通知を行うことは、さらに、
前記無許可の口座操作を警察に通報することを前記ユーザが決定した場合に、警察通報メッセージを通報プラットフォームに伝送することを含む、システム。
適用例１９：
非一時的なコンピュータ読み取り可能ストレージ媒体に実装された、口座セキュリティ保護のためのコンピュータプログラム製品であって、
ユーザの現在地と、前記ユーザの口座が操作されている位置とを検索するためのコンピュータ命令と、
前記ユーザの現在地と、前記ユーザの口座が操作されている位置との間の距離があらかじめ定められた距離閾値を超えるかどうかを決定するためのコンピュータ命令と、
前記ユーザの現在地と、前記ユーザの口座が操作されている位置との間の前記距離が前記あらかじめ定められた距離閾値を超える場合に、前記ユーザに通知を行うためのコンピュータ命令と、
を備えるコンピュータプログラム製品。
【国際調査報告】
2015520442.tif 000008
2015520442.tif 000009